(57)【要約】ガイド面に沿ってウェブ材料または枚葉紙材料を浮遊させながらガイドするための均一な圧力形成を可能とし、汚れる危険を著しく減少するような装置を提供する。流路５に多数のノズル１を有するガイド面２を設けて本装置を構成した。ノズル１には、背面側領域と正面側領域を設けた。背面側領域には、ガイド面２に対して掘り下げた凹所１４を凹設する。この凹所は、エッジ１７において終端させる。エッジ１７の下方において各ノズル１に第１の送風開口部６と、少なくとも一つの隣接する第２の送風開口部７とを設ける。送風開口部６，７には案内面４を接続し、案内面をガイド面２に移行させるようにした。
2004525044.tif 000002
【特許請求の範囲】
【請求項１】
加工機械、特に印刷機内で、空気圧機構に接続された流路の、閉じられたガイド面に沿って、ウェブ材料または枚葉紙材料を搬送方向に浮遊させながらガイドするための装置であって、前記ガイド面は、多数のノズルを備え、該ノズルは、送風開口部と、該送風開口部に境を接するようにして前記流路の内側に向けて斜めに凹設された案内面とを有している装置において、
前記ノズル（１）のそれぞれは、直線的または湾曲した曲線的なエッジ（１７）を境にして背面側領域（１２）と正面側領域（１３）とを備え、
前記背面側領域（１２）は、前記エッジ（１７）で終端しかつ前記ガイド面（２）へとつながって行くように前記ガイド面（２）に対して掘り下げられるようにして設けられた平らな凹所（１４）を備えるとともに、前記第１のエッジ（１７）と反対の側に、該凹所（１４）を画定する少なくとも１つの第２のエッジ（１８）を備え、
前記第１のエッジ（１７）の下方には、前記正面側領域（１３）のための第１の送風開口部（６）が設けられるとともに、前記第２のエッジ（１８）の下方には、前記背面側領域（１２）のための第２の送風開口部（７）が設けられ、
前記送風開口部（６，７）には、前記ガイド面（２）の平面に傾斜しながらつながって行く案内面（４）が接続され、該案内面は、側方に閉じられた側面としての第１の側面部（８）と第２の側面部（９）とによって画定され、より大きな吹き付け力が常に前記第１の送風開口部（６）側に存在するように構成されていることを特徴とする装置。
【請求項２】
請求項１に記載の装置において、
前記凹所（１４）は、前記背面側領域（１２）内に、前記第１のエッジ（１７）の反対の側に位置して前記凹所（１４）を画定する第３のエッジ（１９）を備え、該エッジ（１９）の下方に、前記背面側領域（１２）のための少なくとも一つの第３の送風開口部（８）が設けられ、前記送風開口部（８）には、前記ガイド面（２）の平面へと傾斜しながらつながって行く案内面（４）が接続され、該案内面は、側方に閉じられた側面としての第１の側面部（９）と第２の側面部（１０）とによって画定されていることを特徴とする装置。
【請求項３】
請求項１に記載の装置において、
前記平らな凹所（１４）は、円形または楕円形に形成されていることを特徴とする装置。
【請求項４】
請求項１に記載の装置において、
前記第１の送風開口部（６）の吹付け空気流の一成分は、前記ウェブ材料または枚葉紙材料（３）の搬送方向（１１）と逆の方向に向けられ、前記第２の送風開口部（７）の吹付け空気流の少なくとも一つの成分は、前記ウェブ材料または枚葉紙材料（３）の搬送方向 （１１）と同じ方向に向けられていることを特徴とする装置。
【請求項５】
請求項１に記載の装置において、
前記第１の送風開口部（６）の吹付け空気流の一成分は、前記ウェブ材料または枚葉紙材料（３）の搬送方向（１１）を横切る方向に向けられ、少なくとも前記第２の送風開口部（７）の吹付け空気流の一成分は、前記ウェブ材料または枚葉紙材料（３）の搬送方向（１１）を横切る方向に向けられていることを特徴とする装置。
【請求項６】
請求項１に記載の装置において、
前記ノズル（１）のそれぞれは、前記ガイド面（２）の平面内に、一周する丸み付け部（２１）を備え、各ノズル（１）の案内面（４）は、前記丸み付け部（２１）につながって行くように設けられていることを特徴とする装置。
【請求項７】
請求項１に記載の装置において、
前記ノズル（１）のそれぞれは、前記ガイド面の平面（２）より深く設けられた一周する窪み部（２０）を備え、各ノズル（１）の前記案内面（４）は、前記窪み部（２０）へとつながって行くように設けられていることを特徴とする装置。
【請求項８】
請求項１に記載の装置において、
一つのノズル（１）の送風開口部（６，７，８）のそれぞれは、空気を吹き出すための半円形の横断面を備え、前記案内面（４）は、鉢形に湾曲して前記側面部（９，１０）へとつながって行くように設けられていることを特徴とする装置。
【請求項９】
請求項１に記載の装置において、
前記側面部（９，１０）は、自身の幅が発散して末広となるように設けられていることを特徴とする装置。
【請求項１０】
請求項１に記載の装置において、
前記ノズル（１）は、５０〜５００Ｐａのガス状圧力媒体の圧力を供給できるように設けられていることを特徴とする装置。
【請求項１１】
請求項１に記載の装置において、
前記側面部（９，１０）の側方にそれぞれ少なくとも一つの支持開口部（１６）が前記ガイド面（２）内に設けられ、該支持開口部は、前記流路（５）に機能的に接続されていることを特徴とする装置。
【請求項１２】
請求項１に記載の装置において、
前記凹所（１４）内に、吹付け空気が供給される少なくとも一つの支持開口部（１６）が設けられ、該支持開口部は、前記流路（５）に機能的に接続されていることを特徴とする装置。
【請求項１３】
請求項９に記載の装置において、
前記支持開口部（１６）は、前記凹所（１４）の中心に設けられていることを特徴とする装置。
【請求項１４】
請求項１または請求項２に記載の装置において、
前記ノズル（１）のそれぞれは、前記２つの送風開口部の間、すなわち、前記第１および第２の送風開口部（６，７）の間、または前記第２および第３の送風開口部（７，８）の間、または前記第１および第３の送風開口部（６，８）の間の円形の部分に、吹付け空気が供給されるそれぞれ少なくとも一つの支持開口部（１６）を備え、該支持開口部が前記流路（５）に機能的に接続されていることを特徴とする装置。
【発明の詳細な説明】
【０００１】
【発明の属する技術分野】
本発明は、請求項１の前提部分おいて書き部に記載の、加工機械内でウェブ材料または枚葉紙材料を浮遊させながらガイドするための装置に関する。本装置は、特に印刷機内で枚葉紙を接触させずにガイドおよび搬送するのに適している。
【０００２】
【従来の技術】
この種の周知の装置は、独国特許出願公開第１９０７０８３号明細書に記載されており、ガイド面と、分配するように設けられた多数の送風開口部とを有する送風ケースを備えている。ここで、これらの送風開口部は、それぞれ送風ケース内に向かって入り込んでいく傾斜した案内面を備えている。ただし、この発明では、ノズルが舌片を有し、案内面の半径方向の縁部が１２０度から１８０度の角度にわたって閉じている。これにより方向が決められた流れではなく、平面的に作用する幅広の扇状の流れが作られる。さらに、送風ノズルも全て同じ方向に設けられている。従って、殆ど締まりのない作用が一方向にしか得られない。この点は、薄い枚葉紙材料の場合にまさに不利となる。というのも、薄い枚葉紙材料は、送風によってばたつきやすいからである。
【０００３】
独国特許出願公開第明細書２８０２６１０号に記載のノズルは、ノズルの側面が傾斜案内面に対して平行に延び、さらにこの側面に、舌片が低い位置に設けられて構成されている。これらのノズルは、緊密に隣接した状態で送風ケースに設けられ、ガイド面は、多数の送風ケースから構成され、ガイドされる印刷材料の上方および下方に設けられている。さらなる実施の形態では、ノズルに穿孔部が設けられるが、この穿孔部は、付加的な送風手段として、加工材料が送風ケース（ガイド面）に接触するのを防止するものである。
【０００４】
独国実用新案出願公開第８９１５６２６号明細書から、ウェブ材料または枚葉紙材料をガイド面に接触させずにガイドおよび搬送する装置が周知となっている。この装置は、ノズル本体を持つノズルを備え、これらのノズルのそれぞれには、ノズル本体において窪ませられかつノズル本体の外側のガイド面に向かって傾斜させられるようにして、吹付け空気流を出すための案内面が設けられている。このときノズル本体は、ガイド面内に円錐形状の凹所を有し、この凹所内に、偏心した少なくとも１つのノズル開口部が設けられている。
【０００５】
独国特許出願公開第１９６２８６２０号明細書より、印刷されたばかりの枚葉紙を案内する装置が知られている。印刷直後の枚葉紙は、枚葉紙案内面に触れさせることなく、この案内面上を通過させるように導かなければならない。そのため、枚葉紙案内面は、該枚葉紙案内面上に配分され、該枚葉紙案内面の枚葉紙案内板に通じる送風開口部を有している。この送風開口部は、少なくとも２種類の吹付け空気ノズルから形成されている。第一の種類のノズルは、枚葉紙走行方向に向けられた空気流束によって枚葉紙をなでつけ、二番目の種類のノズルは、生成された旋回流によって枚葉紙をなでつける。このとき、空気流を生成するノズルによって、危険にさらされる枚葉紙箇所へのインキの付着が概ね回避される。この回転する流れを作り出すノズルは、製造するためのコストや手間が大きく、しかも、ノズル中心では、この部分に生じている負圧によって汚れが発生する危険もある。枚葉紙を牽引する流れと組み合わせると、ノズルの旋回流から強力な乱気流が発生し、これによって枚葉紙が接触をきたすことになる。これは、特に坪量が小さい枚葉紙や、あるいは、たわみやすい枚葉紙材料の場合には、悪い影響を及ぼす。
【０００６】
ノズルの不利点は、ウェブ材料または枚葉紙材料がノズル開口部における最大負圧領域で強く吸引され、ノズルの周縁部、または切断エッジないし舌状の部分に接触する恐れがあることである。ウェブ材料または枚葉紙材料が軽かったり、たわみやすかったりする場合、特にこの危険がある。結果として材料および／またはガイド面に望ましくない汚れが付着したり、および／または材料それ自体にしみが着いてしまう。
【０００７】
【発明が解決しようとする課題】
本発明の課題は、前記の欠点を解消し、枚葉紙またはウェブ材料をガイド面に沿って浮遊させながらガイドするための均一に分配された圧力形成を可能にし、汚れの危険を著しく減少させる上記の類の装置を提供することにある。
【０００８】
【課題を解決するための手段】
このような課題は請求項１に記載の構成の特徴によって解決される。さらなる構成は従属請求項に記載されている。
【０００９】
浮遊させながらガイドする装置は、ウェブ材料または枚葉紙材料を搬送方向に沿って接触させずにエアクッションによってガイドするガイド面によって構成される。エアクッションは、空気力学的パラドックスに従って作用するノズルによって供給され、この原理によれば、ウェブ材料または枚葉紙材料は、支持される（正圧領域）と同時に吸引（負圧領域）される。ガイド面は、それ自身閉じられており、所定の分布にしたがって組み込まれた多数のノズルを有している。これらのノズルは、空気を供給する（好ましくは同じ構造の）ノズルとして形成されている。以下に述べるノズル幾何学形状で装置を構成すると、ウェブ材料または枚葉紙材料をガイド面に対して接触させることなく、浮遊させながら安定したばたつきのないガイドを行うことができる。
【００１０】
本発明の第１の有利点は、以下のように説明される。ガイド面に多数のノズルが設けられていることを前提とし、個々のノズルの背面側領域における周知の送風開口部（第１の送風開口部）の周囲には、ガイド面の下側に、ガイド面の平面より掘り下げられるようにして平らな凹所が設けられている。さらにこのとき、個々の送風開口部自体もガイド面の平面より掘り下げられるようにして設けられている。この平らな凹所は、（上面視して）好ましくは、円形ないし楕円形に形成され、背面側の部分に設けられた少なくとも一つの第２の送風開口部を有している。この第２の送風開口部、あるいは、場合によってはさらなる（第３の）送風開口部では、背面側領域において吹付け流が噴出する。この吹付け流の吹付けの力は、第１の送風開口部の吹付けの力よりも常に小さい。この第１の送風開口部は、主な吹付け流（主吹付け流）を生成し、背面側領域に設けられた第２の送風開口部ならびに必要によっては第３の送風開口部は、補助的な吹付け流（副吹付け流）を形成する。ノズルの主吹付け流と副吹付け流とは、常に異なる方向に向けられ、できるだけ平らで広い、ウェブ材料または枚葉紙材料の支持作用が得られるようになっている。負圧領域をできるだけわずかにする場合には、したがって、各ノズルは、主吹付け流成分と、少なくとも一つの副吹付け流成分とを有している。このとき、第１の送風開口部および第２の送風開口部、そして場合によっては第３の送風開口部は、各ノズルにおいて、対称的ないし非対称的に凹所の下方に設けることができる。
【００１１】
それぞれの送風開口部自身は、ガイド面の平面からさらに下げられるようにして設けられている。このような構成により、ウェブ材料または枚葉紙材料は、まずガイド面自体に接触しないばかりでなく、ノズルの背面側領域において汚れることもなく、また個々の送風開口部の縁部において汚れることもなくなる。ガイド面への接触は、ウェブ材料または枚葉紙材料とガイド面との間の無接触な搬送を行うための均一な圧力形成によって、本発明に係る装置において防止される。
【００１２】
さらなる有利点は、装置のガイド面全体にわたり、できるだけ広い幅にわたって作用する均一な圧力が各ノズルにおいて形成可能なことである。この点は特に、各ノズルにおいて案内面が、送風開口部からガイド面の平面への移行部に至るまで、末広に形成されていることによって実現されている。このとき、各ノズルが、各送風開口部に接続する末広の案内面とこの案内面に対して設けられた側面部とを有していることが好ましい。側面部は、直接ガイド面へとつながって行くか、あるいは一端窪み部へとつながって行きそこから間接的にガイド面へとつながって行くように設けられている。各案内面は、上面視して、台形、ラッパ形、あるいは好ましくは楕円形ないし鉢形に形成されている。
【００１３】
ノズル一つに複数設けられた送風開口部によって、案内面が上記のように末広となるのを各ノズルが助けている点も有利である。各ノズルには、周知の第１の送風開口部と、少なくとも一つの第２の送風開口部とが設けられている。さらなる構成においては、第３の送風開口部、さらに場合によっては一つ以上の付加的な送風開口部が各ノズルに対して設けられている。空気圧機構に機能的に接続されている流路、それも好ましくは送風ケースから、吹付け空気が各ノズルの送風開口部に供給され、適した数の送風開口部に配分される。第１の送風開口部は、このとき常に主吹きつけ流を生成する。
【００１４】
さらなる有利点は、さらなる構成において、装置のガイド面の個々のノズルの側面部の側方に支持開口部が設けられていることである。これらの支持開口部は、小さな孔などであって、（流路から）吹付け空気を供給でき、ウェブ材料または枚葉紙材料の下側に向かって直接的に流れのインパルスを作用させる。これによりウェブ材料または枚葉紙材料は、特に側面部領域において付加的に支持されるので、危険にさらされる箇所において汚れの起きない浮遊状態でのガイドが実現できる。
【００１５】
さらなる構成において、平らな凹所は、例えば孔等の少なくとも一つの支持開口部を有して形成されている。この平らな凹所内の支持開口部は、中心に配置されていることが好ましい。支持開口部には、流路を介して吹付け空気が供給され、排出される吹付け空気は、流れのインパルスを作用させ、その向きは、ウェブ材料または枚葉紙材料の下側に向けられている。これにより、平らな凹所の領域において汚れの起きない浮遊状態でのガイドが実現できる。
【００１６】
ノズルを有する本発明に係る装置がたった一つの変形工具によって比較的少ない手間とコストで製造できる点も有利である。
【００１７】
【発明の実施の形態】
以下に、本発明を実施の形態に基づいてより詳細に説明する。
【００１８】
ウェブ材料または枚葉紙材料３を浮遊させながらガイドする装置は、閉じられたガイド面２を有している。このガイド面は、ウェブ材料または枚葉紙材料３の搬送方向１１に搬送経路に沿って設けられている。このようなガイド面２には、複数のノズル１が所定の分布に従って設けられている。
【００１９】
好ましくは、このようなノズル１は、例えば変形工具を用いて、第１および第２送風開口部６，７の領域に、直線状または湾曲した曲線状の第１の（切断）エッジ１７および少なくとも１つの第２の（切断）エッジ１８を有するように直線的または湾曲した曲線的な打抜き剪断加工を（予定の送風方向を横切る方向に）施し、さらに、絞り加工（材料をガイド面２から押し下げる加工）をノズル１毎に行うことによって作られる。これと同じようにして、同時にノズル１毎に、上記変形工具を用いて、第３の送風開口部８用に第３の（切断）エッジ１９を設けることができる。これら送風開口部６，７，８は、空気圧機構に連結された送風ケース等の流路の内側に向かって突き出している。
【００２０】
このようなノズル１は、背面側領域１２と正面側領域１３を有し、これらの領域１２，１３は、第１の送風開口部６（主送風開口部）のエッジ１７によって区切られている。
【００２１】
ノズル１の背面側領域１２には、ガイド面２に対して平行に下げられるようにして、エッジ１７で終端する平らな凹所１４が設けられている。エッジ１７によって区切られた凹所１４は、所定の半径のところで、より高い位置に設けられたガイド面２の平面へとつながって行くのが好ましい。
この平らな凹所１４は、上面視して好ましくは円形（図２）もしくは楕円形に設けられている。
【００２２】
各ノズル１の正面側領域１３では、エッジ１７の下方に第１の送風開口部６が設けられている。この送風開口部６を起点にして、案内面４が掘り下げられるように設けられている。この案内面は、好ましくは末広に、一定の角度を有して最後はガイド面２の平面へと達して終端する。さらに案内面４は、第１の側面部９と、第２の側面部１０とによって画定されている。側面部９，１０は、閉じられた側面であって、案内面４から浅く平らに傾斜しながら、あるいは湾曲した状態で傾斜しながら、より高い位置に設けられたガイド面２の平面に向かって延在している。
【００２３】
背面側領域１２では、凹所１４は、第２のエッジ１８、および好ましくは第３のエッジ１９を備えている。これらのエッジ１８，１９において凹所１４が終端している。背面側領域１２におけるエッジ１８，１９は、第１のエッジ１７から離れた側に、言い換えれば第１のエッジ１７に対して概ね反対の側すなわち逆方向を向いた側に設けられている。
【００２４】
上記エッジ１８，１９の下方には、送風開口部７，８が設けられている。これらの送付開口部７，８を起点にして、案内面４がそれぞれ掘り下げられるように設けられている。この案内面４は、一定の角度を有して最後はガイド面２の平面へと達して終端する。各案内面４は、ここでもまた、第１の側面部９および第２の側面部１０によって区切られている。これらの側面部９，１０は、閉じられた側面であって、案内面４から浅く平らに傾斜しながら、あるいは湾曲した状態で傾斜しながら、より高い位置に設けられたガイド面２の平面に向かって延在している。
【００２５】
それぞれの（２つないし３つの送風開口部６〜８を有する）ノズル１では、側面部９，１０の側面は、ガイド面２において一つの丸み付け部２１で所定の半径を有して終端していることが好ましい。この丸み付け部は、同じようにガイド面２で終端している案内面４をも内包している（図５）。これにより、ウェブ材料又は枚葉紙材料３が汚れる恐れをさらに防止することができる。従って、ノズル１のそれぞれは、ガイド面２の平面内に、一周する丸み付け部２１を備え、各ノズル１の案内面４がこの丸み付け部２１へとつながって行くように設けられている。
【００２６】
２つの送風開口部６，７を有する、あるいは３つの送風開口部６，７，８を有するノズル１の構成においては、かくして２つないし３つの吹付け空気流が一つのノズル１からそれぞれ出て行く。正面側領域１３における第１の送風開口部６は、主送風開口部とされている。背面側領域１２における第２の、そして構成によっては同じく第３の送風開口部７，８は、副送風開口部とされている。これらの送風開口部６，７，８において出て行く吹付け空気流は、全て同じ圧力を有している。送風開口部７，８（副送風開口部）において出て行く吹付け空気流の空気量は、より少ないものとなっている。これに対して、送風開口部６（主送風開口部）において出て行く吹付け空気流の空気量は常により多いものになっており、このため、より大きな吹付け力が送風開口部６側に存在している。
【００２７】
領域１２，１３を保持したまま送風開口部６，７，８、ならびにこれら送付開口部からの吹き付け流が互いに異なるように配設されているため、浮遊させながらガイドするためのできるだけ大きな面積が確保されることになる。
【００２８】
本発明に係るノズル１の場合、例えば少なくとも一つの吹き付け流が、搬送方向１１に向けられるとともに、さらに別の吹付け流が、搬送方向１１と逆向きに（対抗する方向に）向けられる。送風開口部６，７および場合によっては送風開口部８の構成は、領域１２，１３を考慮する際に、非対称、とは言えより好ましくは対称に形成されている。
ただし、第１の送風開口部６において出て行く吹付け流（主吹付け流）が、より多くの空気量を有して搬送方向１１と逆向き（対抗する方向）の成分を有するように向けられていることが好ましく、さらに、第２の送風開口部７の吹付け空気流（そして場合によっては第３の送風開口部８の吹付け空気流）の少なくとも一つの成分がウェブ材料又は枚葉紙材料３の搬送方向１１の方向に向けられていることが好ましい。さらなる構成において、搬送方向１１を横切る方向に向けられた吹付け流も同じく生成することができる。
【００２９】
さらなる構成において、第１の送風開口部６の吹付け空気流の成分が、ウェブ材料または枚葉紙材料３の搬送方向１１を横切る方向に向けられているとともに、少なくとも第２の送風開口部７の吹付け空気流の成分が、ウェブ材料または枚葉紙材料３の搬送方向１１を横切る方向に向けられている。
【００３０】
ノズル１毎に少なくとも２つの別個の送風開口部６，７、より好ましくは３つの別個の送風開口部６，７，８があると、ガイド面２とウェブ材料または枚葉紙材料３の下側との間に幅広く作用する圧力が形成される。
【００３１】
このようなノズル１には、ガス状の媒体により、およそ５０〜５００Ｐａの圧力を供給することができる。ガス状の媒体としては空気などが用いられる。空気は、ガイド面２の裏側に設けられた流路５内において、空気圧機構によって、それも好適には少なくとも１つのファンによってこの流路５に供給される。
【００３２】
さらなる構成では、凹所１４の領域に、空気圧機構ならびに流路５に機能的に接続された少なくとも１つの支持開口部１６が設けられ、ノズル１の背面側領域１２においてウェブ材料または枚葉紙材料３を支持し、汚れの危険を著しく減少させている。このとき、この支持開口部１６は、凹所１４の中心に設けられていることが好ましい。
各ノズル１は、２つの送風開口部（第１および第２の送風開口部６，７、および／または第２および第３の送風開口部７，８、および／または第１および第３の送風開口部６，８）の間の扇形の部分に、吹付け空気が供給される少なくとも一つの支持開口部１６をそれぞれ有している。この支持開口部１６は、流路５に機能的に接続されている。
さらなる構成では、正面側領域１３における側面部９，１０の側方に少なくともそれぞれ１つの支持開口部１６がガイド面２に設けられている。この支持開口部には、空気圧機構と流路５によって吹付け空気が供給される。支持開口部１６は、送風開口部６，７，８の近傍に設けるのが好適であるが、それは送風開口部６，７，８の近傍で吸引作用が最大になるからである。
このような支持開口部１６の吹き出し面積（流出面積）は、個々の送風開口部７，８の吹き出し面積以下とされている。支持開口部１６の吹き出し面積の和Σは、送風開口部６〜８の吹き出し面積の和Σより小さい。
【００３３】
さらなる構成において、少なくとも２つの送風開口部６，７（図４には、３つの送風開口部６，７，８が示されている）を有するノズル１は、ガイド面２内において各ノズル１を取り囲むように一周する窪み部２０を有している。各窪み部２０は、ガイド面２の平面より低くなるように設けられている。これにより、ウェブ材料又は枚葉紙材料３が汚れる恐れをさらに防止することができる。こうして、ノズル１のそれぞれは、ガイド面２の平面より低くなるように設けられた一周する窪み部２０を備えており、各ノズル１の案内面４は、この窪み部２０へとつながって行くように設けられている。
【００３４】
図４及び図５には、ノズル１が示されている。ノズル１は、空気を吹き出すための半円形状の横断面を持つ送風開口部６，７，８を備えている。ここで、案内面４は、鉢形に湾曲した状態で側面部９，１０へとつながって行く。ここで、案内面４は、楕円形（図４及び図５）に形成されている
側面部９，１０は、一周する丸み付け部２１（図５）ないし一周する窪み部２１（図４）を介してガイド面２の平面へとつながって行く。
【００３５】
ここで、一周する丸み付け部２１ないし一周する窪み部２１を有するノズル１の構成は、図４ならびに図５に示されるような形状に限定されない。むしろ、ノズルの構成は、図６に示すようなノズル１の形状にも応用することができる。
【図面の簡単な説明】
【図１】本装置のノズル領域における縦方向（Ａ−Ａ線）の断面図である。
【図２】図１に示すノズルの平面図である。
【図３】本装置のノズルの送風開口部前方領域における（Ｂ−Ｂ線）断面図である。
【図４】図１に示すノズルの斜視図である。
【図５】図１に示すノズルの第一のさらなる構成を示す図である。
【図６】図１に示すノズルの第二のさらなる構成を示す図である。
【符号の説明】
１・・・ノズル
２・・・ガイド面
３・・・ウェブ材料または枚葉紙材料
４・・・案内面
５・・・流路
６・・・第１の送風開口部
７・・・第２の送風開口部
８・・・第３の送風開口部
９・・・第１の側面部
１０・・・第２の側面部
１１・・・搬送方向
１２・・・背面側領域
１３・・・正面側領域
１４・・・凹所
１５・・・接続部
１６・・・支持開口部
１７，１８，１９・・・エッジ
２０・・・窪み部
２１・・・丸み付け部
【国際公開パンフレット】
2004525044.tif 000003
2004525044.tif 000004
2004525044.tif 000005
2004525044.tif 000006
2004525044.tif 000007
2004525044.tif 000008
2004525044.tif 000009
2004525044.tif 000010
2004525044.tif 000011
2004525044.tif 000012
2004525044.tif 000013
2004525044.tif 000014
2004525044.tif 000015
2004525044.tif 000016
2004525044.tif 000017
2004525044.tif 000018
2004525044.tif 000019
2004525044.tif 000020
2004525044.tif 000021
2004525044.tif 000022
2004525044.tif 000023
2004525044.tif 000024
2004525044.tif 000025
2004525044.tif 000026
【国際調査報告】
2004525044.tif 000027
2004525044.tif 000028
2004525044.tif 000029
2004525044.tif 000030